(57)【要約】【課題】  ＡＦ動作時に補助光を照射するコントラスト検出方式の電子カメラに関し、合焦位置の検出精度がより向上した電子カメラを提供する。【解決手段】  各画素に対応する複数色のカラーフィルタ要素からなるカラーフィルタを備え、撮影光学系による被写体像を光電変換して画像信号を生成する撮像素子と、前記画像信号に基づいて前記被写体像の焦点評価値を算出し、該焦点評価値が最大となる前記撮影光学系の位置を合焦位置として検出する合焦位置検出部と、前記合焦検出部による検出動作の際に被写体を照明する補助光源と、前記合焦検出部による検出動作の際に前記補助光によって前記被写体を照明する場合は、前記補助光源による照明光の波長を含む色に対応する画素の出力に関するゲインを他の画素の出力に関するゲインに対して相対的に高めるゲイン調整部と、を有することを特徴とする。【選択図】  図１
2005352208.tif 000002
【特許請求の範囲】
【請求項１】
各画素に対応する複数色のカラーフィルタ要素からなるカラーフィルタを備え、撮影光学系による被写体像を光電変換して画像信号を生成する撮像素子と、
前記画像信号に基づいて前記被写体像の焦点評価値を算出し、該焦点評価値が最大となる前記撮影光学系の位置を合焦位置として検出する合焦位置検出部と、
前記合焦位置検出部による検出動作の際に被写体を照明する補助光源と、
前記合焦位置検出部による検出動作の際に前記補助光源によって前記被写体を照明する場合は、前記補助光源による照明光の波長を含む色に対応する画素の出力に関するゲインを他の画素の出力に関するゲインに対して相対的に高めるゲイン調整部と、を有することを特徴とする電子カメラ。
【請求項２】
各画素に対応する複数色のカラーフィルタ要素からなるカラーフィルタを備え、撮影光学系による被写体像を光電変換して画像信号を生成する撮像素子と、
被写体を照明する補助光源と、
前記補助光源によって前記被写体を照明する際は、前記補助光源による照明光の波長を含む色に対応する前記画像信号のみに基づいて前記被写体像の焦点評価値を算出し、該焦点評価値が最大となる前記撮影光学系の位置を合焦位置として検出する合焦位置検出部と、を有することを特徴とする電子カメラ。
【請求項３】
前記合焦位置検出部による検出動作の際に、前記補助光源による照明光の波長を含む色に対応する画素の出力に関するゲインを他の画素の出力に関するゲインに対して高めるゲイン調整部をさらに有することを特徴とする請求項２に記載の電子カメラ。
【請求項４】
前記画像信号に基づく画像を表示する電子ファインダ部をさらに有し、
前記補助光源の発光時において、前記電子ファインダ部は前記ゲイン調整部での前記画像信号のゲイン変化を相殺するように前記画像信号のゲインを再調整して前記画像を生成することを特徴とする請求項１または請求項３に記載の電子カメラ。
【請求項５】
前記画像信号に基づく画像を表示する電子ファインダ部をさらに有し、
前記補助光源の発光時において、前記電子ファインダ部は前記補助光源の発光直前に生成した前記画像を所定時間表示することを特徴とする請求項１または請求項３に記載の電子カメラ。
【発明の詳細な説明】
【技術分野】
【０００１】
本発明は補助光を用いてオートフォーカスを行う電子カメラに関する。
【背景技術】
【０００２】
従来から電子カメラのオートフォーカス（ＡＦ）制御の１つとして、撮像素子の生成した画像信号に基づいて被写体像の焦点評価値を算出し、この焦点評価値に基づいて撮影レンズの合焦位置を検出するコントラスト検出方式が知られている。
このコントラスト検出方式の電子カメラでは、暗い被写体を撮影する場合にＡＦの精度が低下してしまう。そのため、上記の電子カメラで暗い被写体を撮影する場合には、ＡＦ動作時に画像信号のゲインを一律に増幅させたり、あるいはＡＦ動作時に被写体を補助光で照明することが従来から行われている。
【０００３】
ここで、特許文献１には、ＡＦ動作時において補助光の点灯とは無関係に画像信号のゲインを増幅するコントラスト検出方式の電子カメラが開示されている。特に特許文献１ではＡＦ動作時において補助光の点灯とは無関係に赤色のゲインを増幅し、被写体が人物である場合に赤外線成分の感度を上げてＡＦの精度を高めることを意図している。
また、特許文献２には、撮像素子のカラーフィルタに一番多く含まれている色帯域の波長の補助光を照射するコントラスト検出方式の電子カメラが開示されている。
【特許文献１】特開２００２−２８７０１３号公報
【特許文献２】特開２００３−２８７６７４号公報
【発明の開示】
【発明が解決しようとする課題】
【０００４】
しかし、ＡＦ動作時に画像信号のゲインを一律に増幅させて補助光の点灯なしにＡＦの精度を高めようとする場合には、画像信号に含まれるノイズ成分まで増幅されてしまう点で改善の余地がある。特に上記特許文献１では、撮像素子の受光面の前面に赤外カットフィルタが配置されていると入射光の赤外線成分が除去されるので、一般的な電子カメラではＡＦの精度の改善がさほど見込めないという問題があった。
【０００５】
一方、上記特許文献２のようにＡＦ動作時に補助光を照射する場合にはＡＦの精度がある程度向上するが、カメラの高性能化に伴なって一層のＡＦの精度向上がなお要請されている。ここで、補助光を照射した上で画像信号のゲインを一律に増幅させると上記と同様に画像信号中のノイズ成分の増幅による悪影響が問題となる。
本発明は上記従来技術の課題を解決するためのものであって、その目的は、ＡＦ動作時に補助光を照射するコントラスト検出方式の電子カメラに関し、合焦位置の検出精度をより向上できる電子カメラを提供することである。
【課題を解決するための手段】
【０００６】
請求項１の発明に係る電子カメラは、各画素に対応する複数色のカラーフィルタ要素からなるカラーフィルタを備え、撮影光学系による被写体像を光電変換して画像信号を生成する撮像素子と、前記画像信号に基づいて前記被写体像の焦点評価値を算出し、該焦点評価値が最大となる前記撮影光学系の位置を合焦位置として検出する合焦位置検出部と、前記合焦位置検出部による検出動作の際に被写体を照明する補助光源と、前記合焦位置検出部による検出動作の際に前記補助光源によって前記被写体を照明する場合は、前記補助光源による照明光の波長を含む色に対応する画素の出力に関するゲインを他の画素の出力に関するゲインに対して相対的に高めるゲイン調整部と、を有することを特徴とする。
【０００７】
請求項２の発明に係る電子カメラは、各画素に対応する複数色のカラーフィルタ要素からなるカラーフィルタを備え、撮影光学系による被写体像を光電変換して画像信号を生成する撮像素子と、被写体を照明する補助光源と、前記補助光源によって前記被写体を照明する際は、前記補助光源による照明光の波長を含む色に対応する前記画像信号のみに基づいて前記被写体像の焦点評価値を算出し、該焦点評価値が最大となる前記撮影光学系の位置を合焦位置として検出する合焦位置検出部と、を有することを特徴とする。
【０００８】
請求項３の発明は、請求項２の発明において、前記合焦位置検出部の検出動作の際に、前記補助光源による照明光の波長を含む色に対応する画素の出力に関するゲインを他の画素の出力に関するゲインに対して高めるゲイン調整部をさらに有することを特徴とする。
請求項４の発明は、請求項１または請求項３の発明において、前記画像信号に基づく画像を表示する電子ファインダ部をさらに有し、前記補助光源の発光時において、前記電子ファインダ部は前記ゲイン調整部での前記画像信号のゲイン変化を相殺するように前記画像信号のゲインを再調整して前記画像を生成することを特徴とする。
【０００９】
請求項５の発明は、請求項１または請求項３の発明において、前記画像信号に基づく画像を表示する電子ファインダ部をさらに有し、前記補助光源の発光時において、前記電子ファインダ部は前記補助光源の発光直前に生成した前記画像を所定時間表示することを特徴とする。
【発明の効果】
【００１０】
本発明の電子カメラでは、合焦位置を検出する際に補助光を照射する場合は、照明光の波長を含む色に対応する画素の出力を相対的に向上させるので、暗い被写体に対する合焦位置の検出精度が著しく向上する。
【発明を実施するための最良の形態】
【００１１】
（第１実施形態の説明）
図１は第１実施形態の電子カメラのブロック図である（請求項１および請求項３の電子カメラに対応する）。
第１実施形態の電子カメラは、撮影レンズ系１と、フォーカスモータ２と、撮像素子３と、アナログ信号処理部４と、Ａ／Ｄ変換部５と、デジタル信号処理部６と、電子ファインダ部７と、補助光源８と、ＣＰＵ９と、操作部材１０とを有している。
【００１２】
撮影レンズ系１は、焦点位置調節用のフォーカシングレンズを含む複数のレンズ群とレンズ駆動機構とから構成されている。撮影レンズ系１はフォーカスモータ２によって駆動調整される。
撮像素子３は撮影レンズ系１の像空間側に配置される。この第１実施形態の撮像素子３は、被写体像を記録する撮像手段の機能と、焦点検出手段の受光部の機能と、被写界の輝度情報を取得する分割測光部の機能とを備えている。
【００１３】
撮像素子３は、受光素子を有する画素を平面状に多数配設した画素面と、各画素に蓄積された電荷を電圧に変換して出力する出力部とから構成される。撮影レンズ系１を介して入射した被写体像は撮像素子３の画素面で受光され、各画素には受光量に比例した電荷が蓄積される。撮像素子３の各画素の蓄積電荷は出力部によりアナログ画像信号として出力される。なお、第１実施形態の撮像素子３は電荷順次転送方式（ＣＣＤ等）またはＸＹアドレス方式（ＣＭＯＳ等）のいずれであってもよい。
【００１４】
また、撮像素子３の画素面の有効画素領域には、赤色（Ｒ）、緑色（Ｇ）、青色（Ｂ）に対応するカラーフィルタ要素を配列したカラーフィルタアレイが配置されており、被写体像はＲＧＢの画像信号に変換されることとなる。このカラーフィルタ要素の配列としては、奇数列にＲ，Ｇのフィルタ要素が交互に並び、偶数列にＧ，Ｂのフィルタ要素が交互に並び、Ｇのフィルタ要素が全体で市松模様をなすベイヤー配列などが公知である。
【００１５】
アナログ信号処理部４は、相関二重サンプリング（ＣＤＳ）を行うＣＤＳ回路と、アナログ画像信号の出力を増幅するゲイン回路と、色分離回路とを有している。このアナログ信号処理部４では、ＲＧＢの各色に対応する画素の出力に関するゲインの値をそれぞれ独立して設定できるようになっている。
Ａ／Ｄ変換部５はアナログ信号処理部４から出力されたアナログ画像信号をデジタル画像信号に変換する。Ａ／Ｄ変換部５の出力はデジタル信号処理部６およびＣＰＵ９に接続されている。
【００１６】
デジタル信号処理部６は、デジタル画像信号にガンマ補正、ホワイトバランスなどの処理を行って撮影画像データを生成する。なお、デジタル信号処理部６から出力された撮影時の撮影画像データは、その後に圧縮符号化されて記録媒体に記録されたり、また電子カメラ背面の液晶表示モニタに表示される（記録媒体および液晶表示モニタの図示は省略する）。
【００１７】
電子ファインダ部７は、ファインダ画像処理部７ａ、Ｄ／Ａ変換部７ｂおよび液晶ファインダ７ｃを有している。ファインダ画像処理部７ａは、撮影モード時に撮像素子３が撮像するスルー画像のデジタル画像信号に基づいてファインダ画像を生成する。また、ファインダ画像処理部７ａはスルー画像のデジタル画像信号のゲインをＲＧＢの各色毎に独立して設定できるようになっている。ファインダ画像処理部７ａの生成したファインダ画像はＤ／Ａ変換部７ｂを介して液晶ファインダ７ｃに表示される。
【００１８】
補助光源８は例えば白色、緑色、赤色等のＬＥＤで構成され、低輝度の被写体等の撮影時に焦点検出用の補助光を発光する。図２は補助光源８に用いられるＬＥＤの波長特性を示したものである。白色（Type１）、緑色（Type２）、赤色（Type３）のいずれのＬＥＤも半値幅（最大光量の半減値となる２点での波長の値の差）が２０〜５０ｎｍであり、ＬＥＤによる照明光の波長の幅がかなり狭いことが分かる。
【００１９】
なお特に限定するものではないが、補助光源８に使用するＬＥＤは最多数のカラーフィルタ要素の分光波長特性に対応する波長のＬＥＤを使用するのが望ましい。例えば、本実施形態のようにベイヤー配列のカラーフィルタでは、ＲＧＢの画素が１：２：１の比率となるので、補助光源８にはＧのカラーフィルタ要素の分光波長特性に対応する波長のＬＥＤを使用するのが好適である。
【００２０】
ＣＰＵ９は、電子カメラの撮影モード、再生モード等のモード設定や、電子カメラの各部の制御（フォーカスモータ２の駆動制御、撮像素子３の電荷蓄積時間の制御、アナログ信号処理部４のゲインの設定、補助光源８の発光制御など）に必要な演算処理を実行する。
また、ＣＰＵ９は、ＡＥ演算部９ａと、ＡＷＢ（オートホワイトバランス）演算部９ｂと、ＡＦ演算部９ｃとを有している。なお、第１実施形態でのＡＥ演算およびＡＦ演算では、撮像素子３の全有効画素領域の画像信号をすべて使用する必要はなく、一般的には有効画素領域の一部（例えば画面中央部の領域など）の画像信号を用いて演算が行われている。
【００２１】
ＡＥ演算部９ａは、Ａ／Ｄ変換部５から出力されるデジタル画像信号を用いて自動露出演算を行う。ＡＷＢ演算部９ｂは、Ａ／Ｄ変換部５から出力されるＲＧＢのデジタル画像信号に基づいて、デジタル信号処理部６でのホワイトバランス調整用ゲイン（ＲゲインおよびＢゲイン）の設定を行う。また、ＡＦ演算部９ｃは、Ａ／Ｄ変換部５から出力されるＲＧＢ各画素のデジタル画像信号に基づいてＡＦ演算を行う。
【００２２】
ここで、ＡＦ演算部９ｃのＡＦ演算の内容を詳細に説明する。ＡＦ演算部９ｃは、「像のぼけの程度とコントラストには相関関係があって、合焦時に像のコントラストが最大になる」という原理を利用したコントラスト検出方式によりＡＦ演算を行っている。
具体的には、ＡＦ演算部９ｃは撮像素子３に設けられた焦点検出エリアの出力からバンドパスフィルタによって所定帯域の高周波成分を抽出し、この高周波成分の絶対値を積分して焦点検出エリア内の被写体像に関する焦点評価値を生成する。図３に示すように、この焦点評価値は合焦位置Ｌ０でコントラストが最大となったときに最大値となる。なお、図３の横軸は撮影レンズ系１のフォーカシングレンズのレンズ位置を示している。
【００２３】
ＡＦ演算部９ｃは、フォーカシングレンズを所定方向に移動させて、移動前後の焦点評価値の大小を比較する。移動後の焦点評価値が大きい場合はコントラストが高まる傾向であるとみなして、ＡＦ演算部９ｃはフォーカシングレンズをさらに同一方向に移動させて同様の演算を行う。一方、移動後の焦点評価値が小さい場合はコントラストが低下する状態であるので、ＡＦ演算部９ｃはフォーカシングレンズを逆方向に移動させて同様の演算を行う。ＡＦ演算部９ｃは上記処理を繰り返すことで焦点評価値のピーク（合焦位置）を探索する。上記動作は一般的に山登り動作と称されている。
【００２４】
操作部材１０は、電子カメラの撮影モードや再生モード等の切り換えを行うモード切換スイッチ、レリーズ釦、補助光源８のオン（照明可）／オフ（照明不可）などを設定する入力釦等から構成されている。
第１実施形態の電子カメラは上記のように構成され、以下、図４の流れ図を参照しつつ第１実施形態の電子カメラにおける撮影モードの動作を説明する。
【００２５】
ステップＳ１０１：電子カメラの撮影モードにおいて、ＣＰＵ９は所定間隔毎に撮像素子３を駆動させてスルー画像を生成する。ＣＰＵ９は、スルー画像の画像信号に基づいてＡＥおよびＡＷＢの演算を実行しつつ、電子ファインダ部７にスルー画像に基づくファインダ画像を動画表示させる。
ステップＳ１０２：ＣＰＵ９はユーザーによってレリーズ釦が半押しされたか否かを判定する。ＣＰＵ９は、レリーズ釦が半押しされた場合（ＹＥＳ側）にはステップＳ１０３に移行し、レリーズ釦に入力がない場合（ＮＯ側）にはステップＳ１０１に戻ってレリーズ釦の半押しを待機する。
【００２６】
ステップＳ１０３：ＣＰＵ９はＡＥ演算部９ａによって検出された被写体の輝度値が所定の閾値以下か否かを判定する。ＣＰＵ９は、輝度値が閾値以下の場合（ＹＥＳ側）にはステップＳ１０４に移行し、輝度値が閾値より大きい場合（ＮＯ側）にはステップＳ１１０に移行する。
ステップＳ１０４：ＣＰＵ９はＡＦ時に補助光源８が照明可に設定されているか否かを判定する。ＣＰＵ９は、補助光源８が照明可に設定されている場合（ＹＥＳ側）にはステップＳ１０５に移行し、照明不可に設定されている場合（ＮＯ側）にはステップＳ１１０に移行する。
【００２７】
ステップＳ１０５：ＣＰＵ９は、アナログ信号処理部４のゲイン設定について、補助光源８の照明光の波長を含む色に対応する画素の出力に関するゲインを他の画素の出力に関するゲインに対して相対的に高めるように変更する。上記のように、ＣＰＵ９がアナログ信号処理部４のゲイン設定を変更するのは、低輝度被写体の合焦位置検出精度をより向上させるためである。
【００２８】
具体的には、例えば補助光源８の照明光の波長がＧの画素の分光波長の帯域に収まる場合に、ＣＰＵ９は、（ａ）Ｇの画素の出力に関するゲインのみ高く設定する処理、（ｂ）ＲおよびＢの画素の出力に関するゲインを低下させる処理、（ｃ）上記（ａ），（ｂ）の両方の処理、のいずれかの処理を実行する。
第１実施形態では、低輝度被写体の合焦位置検出時において補助光源８のＬＥＤを照射する。この補助光源８の照射時にはＬＥＤの照明光の波長に対応する色の画像信号に被写体のコントラストが一番反映されることとなる。また、図５に示すように、一般的なカラーフィルタのＲＧＢの分光波長特性は補助光源８のＬＥＤの波長の半値幅（図２参照）に対して十分に広い波長帯域をカバーしていることが分かる。
【００２９】
このことからすれば、例えば、ＬＥＤの照明光の波長がＧの画素の分光波長の帯域に収まる場合には、少なくともＧの画素の出力に関するゲインを増幅させれば被写体のコントラストに関する信号成分が増加し、合焦位置の検出精度をより向上させることができる。ステップＳ１０５でＧの画素の出力に関するゲインを増幅させるのは上記の理由による。
一方、上記例においてＲ，Ｂの画素の出力には、その分光波長特性から被写体像のコントラストに関する信号成分が少ない反面、画像信号中にノイズ成分が比較的多く含まれている。そのため、ＲＧＢの全画素のゲインを一律に増幅させるとノイズ成分まで増幅され、焦点評価値の疑似ピーク発生によって低輝度被写体の合焦位置検出精度が却って低下するおそれがある。したがって、上記例においてＲ，Ｂの画素の出力に関するゲインは増幅しない方が好ましい。
【００３０】
むしろ、上記例ではＲ，Ｂの画素の出力に関するゲインを低下させた方が焦点評価値の疑似ピーク発生が抑制され、低輝度被写体の合焦位置検出精度の向上につながることとなる。ステップＳ１０５でＲ，Ｂの画素の出力に関するゲインを低下させるのは上記の理由による。
なお、本発明で相対的にゲインを高める色は、補助光源８の照明光の波長とカラーフィルタ、光学ローパスフィルタおよび赤外カットフィルタの分光波長特性との関係によって決定される。すなわち、補助光源８の照明光の波長がＲ（またはＢ）の画素の分光波長の帯域に収まる場合には、ＣＰＵ９はＲ（またはＢ）の画素の出力に関するゲインを相対的に高める。また、例えば補助光源８の照明光の波長がＲおよびＧの画素の分光波長の帯域に跨っている場合には、ＣＰＵ９はＲおよびＧの画素の出力に関するゲインを相対的に高める。
【００３１】
ステップＳ１０６：ＣＰＵ９は、アナログ信号処理部４でのゲイン変化を相殺できるようにファインダ画像処理部７ａのＲＧＢのゲイン設定を変更する。例えば、ＣＰＵ９は、アナログ信号処理部４の変更前後のゲイン設定値の差分に基づいてファインダ画像処理部７ａのＲＧＢのゲイン設定値を設定する。これは補助光源８の照明時において画像信号に特別のゲイン増幅（Ｓ１０５）が行われた場合であっても、通常のゲイン設定の状態に比較的近い画像を液晶ファインダ７ｃに動画表示するために行われる。
【００３２】
ステップＳ１０７：ＣＰＵ９は合焦位置検出のために補助光源８を発光させて、被写体を照明する。なお、ステップＳ１０５からＳ１０７までの処理はほぼ同時に行われる。
ステップＳ１０８：ＣＰＵ９のＡＦ演算部９ｃは、アナログ信号処理部４でゲイン調整されたＲＧＢの画像信号に基づいて焦点評価値を演算し、山登り動作によってフォーカスレンズの合焦位置を検出する。
【００３３】
ステップＳ１０９：ＣＰＵ９は、フォーカスレンズの合焦位置の検出完了（または所定時間の経過）と同時に補助光源８の発光を停止し、アナログ信号処理部４およびファインダ画像処理部７ａのゲイン設定（Ｓ１０５，Ｓ１０６）を元に戻す。
ステップＳ１１０：この場合には被写体の輝度値が十分高いか、あるいはユーザーが補助光源８の使用を望んでいないので、ＣＰＵ９は補助光源８の発光およびアナログ信号処理部４のゲイン設定をＲＧＢの色ごとに変更することなく合焦位置の検出を行う。すなわち、ＣＰＵ９のＡＦ演算部９ｃは、通常のアナログ信号処理部４のゲイン設定のままの画像信号に基づいて焦点評価値を演算し、山登り動作によってフォーカスレンズの合焦位置を検出する。
【００３４】
ステップＳ１１１：ＣＰＵ９はユーザーによってレリーズ釦が全押しされたか（レリーズされたか）否かを判定する。ＣＰＵ９は、レリーズされた場合（ＹＥＳ側）にはステップＳ１１２に移行し、レリーズ釦に入力がない場合（ＮＯ側）にはユーザーのレリーズを待機する。
ステップＳ１１２：ＣＰＵ９は撮像素子３を駆動させて被写体像を撮影する。なお、撮影時における自動露光の条件設定およびホワイトバランスのゲイン設定は少なくとも補助光源の発光時以外で行われる。そして、アナログ信号処理部４およびデジタル信号処理部６は、撮影画像の画像信号に一連の画像処理を施して撮影画像データを生成する。その後、ＣＰＵ９はステップＳ１０１に移行して撮影モードが解除されるまで上記した一連の動作を繰り返す。
【００３５】
かかる第１実施形態の電子カメラでは、合焦位置を検出する際に補助光を照射するとともに、照明光の波長を含む色に対応する画素の出力に関するゲインを相対的に高める。そのため、被写体のコントラストに関する信号成分の増加または画像信号中のノイズ成分の低下によって暗い被写体に対する合焦位置の検出精度が著しく向上する。
また、第１実施形態の電子カメラでは、補助光照明時に特別のゲイン調整が行われた場合であっても、通常のゲイン設定の状態に比較的近い画像が液晶ファインダに動画表示されるので、補助光照明時のファインダの視認性を比較的良好に保つことができる。
【００３６】
（第２実施形態の説明）
図６は第２実施形態の電子カメラにおける撮影モードの動作を示す流れ図である（請求項２から請求項４の電子カメラに対応する）。図６の各ステップの番号は図４の各ステップの番号にほぼ対応し、ステップＳ２０５およびＳ２０８以外の動作は図４の各ステップと共通するので説明を省略する。なお、以下の実施形態について、図１に示す第１実施形態の構成と対応する構成には同一符号を付して説明を省略する。
【００３７】
ステップＳ２０５：ＣＰＵ９は、アナログ信号処理部４のゲイン設定について、補助光源８の照明光の波長を含む色に対応する画素の出力に関するゲインを他の画素の出力に関するゲインに対して高めるように変更する。
具体的には、例えば補助光源８の照明光の波長がＧの画素の分光波長の帯域に収まる場合に、ＣＰＵ９はＧの画素の出力に関するゲインのみ高く設定する処理を実行する。上記例においてＧの画素の出力に関するゲインを増幅させれば被写体のコントラストに関する信号成分が増加するので、合焦位置の検出精度がより向上する。
【００３８】
ステップＳ２０８：ＣＰＵ９のＡＦ演算部９ｃは、照明光の波長を含む色に対応する画像信号のみに基づいてＡＦ演算を行う。例えば補助光源８の照明光の波長がＧの画素の分光波長の帯域に収まる場合には、ＡＦ演算部９ｃはＧの画像信号のみに基づいて焦点評価値を演算し、山登り動作によってフォーカスレンズの合焦位置を検出する。上記例ではＲ，Ｂの画素の出力にノイズ成分が比較的多く含まれているので、ＡＦ演算にＧの画像信号のみを使用することで焦点評価値の疑似ピーク発生を抑制するものである。
【００３９】
かかる第２実施形態では、合焦位置を検出する際に補助光を照射するとともに、照明光の波長を含む色に対応する画素の出力に関するゲインが相対的に高まるので、第１実施形態と同様の効果を得ることができる。
（第３実施形態の説明）
図７は第３実施形態の電子カメラにおける撮影モードの動作を示す流れ図である（請求項１および請求項５の電子カメラに対応する）。図７の各ステップの番号は図４の各ステップの番号にほぼ対応し、ステップＳ３０６、Ｓ３０７、Ｓ３０９以外の動作は図４の各ステップと共通するので説明を省略する。
【００４０】
ステップＳ３０６：ＣＰＵ９は合焦位置検出のために補助光源８を発光させて、被写体を照明する。
ステップＳ３０７：ファインダ画像処理部７ａは、補助光源８の発光開始とともに補助光源８の発光直前に生成したファインダ画像を液晶ファインダ７ｃに継続的に出力する。したがって、第３実施形態で補助光照明時の液晶ファインダ７ｃには、補助光源８の発光直前に生成されたファインダ画像の静止画が表示されることとなる。
【００４１】
ステップＳ３０９：ＣＰＵ９は、フォーカスレンズの合焦位置の検出完了（または所定時間の経過）と同時に補助光源８の発光を停止する。そして、ＣＰＵ９はアナログ信号処理部４のゲイン設定（Ｓ３０５）を元に戻し、ファインダ画像処理部７ａの静止画表示出力（Ｓ３０７）を解除して、ファインダ画像処理部７ａのスルー画像に基づく動画表示出力を再開する。
【００４２】
かかる第３実施形態では、補助光照明時において補助光発光直前に生成された画像が液晶ファインダに静止画として表示されるので、上記のステップＳ１０６のようにファインダ画像処理部７ａのゲイン設定を変更する処理は不要となる。
（請求項と実施形態との対応関係）
ここで、請求項と実施形態との対応関係を示しておく。なお、以下に示す対応関係はあくまで参考のために示した解釈であって、本発明の技術的範囲を限定するものではない。
【００４３】
「撮影光学系」には撮影レンズ系１が対応する。「撮像素子」には撮像素子３が対応する。「合焦位置検出部」にはＡＦ演算部９ｃが対応する。「補助光源」には補助光源８が対応する。「ゲイン調整部」にはアナログ信号処理部４が対応する。「電子ファインダ部」には電子ファインダ部７が対応する。
（実施形態の補足事項）
以上、本発明を上記の実施形態によって説明してきたが、本発明の技術的範囲は上記実施形態に限定されるものではない。
【００４４】
上記実施形態では電子ファインダの電子カメラの例を説明したが、光学ファインダの電子カメラに本発明を適用することは勿論可能である。
上記実施形態においてファインダ画像の動画または静止画をファインダ部以外（例えば、カメラ背面の液晶表示モニタ）に表示できるようにしてもよい。また、第２実施形態の電子カメラにおいて、第３実施形態のように補助光発光直前に生成された画像を液晶ファインダに静止画表示するようにしてもよい。
【００４５】
上記実施形態では、ＡＦ演算の際に照明光の波長を含む色に対応する画素の出力に関するゲインを相対的に高めるゲイン調整をアナログ信号処理部が行っているが、デジタル信号処理部が上記のゲイン調整を行うようにしてもよい。
また本発明のカラーフィルタはベイヤー配列に限定されることなく、他の公知の配列のカラーフィルタを適用してもよい。さらに本発明は、例えば、シアン（Ｃｙ）、マゼンダ（Ｍｇ）、イエロー（Ｙ）のフィルタ要素を有する補色系のカラーフィルタの電子カメラにも同様に適用できる。
【産業上の利用可能性】
【００４６】
本発明は補助光を用いてオートフォーカスを行うコントラスト検出方式の電子カメラに適用できる。
【図面の簡単な説明】
【００４７】
【図１】第１実施形態の電子カメラのブロック図
【図２】補助光源に用いられるＬＥＤの波長特性を示す図
【図３】コントラスト検出方式での焦点評価値とレンズ位置の相関を示す図
【図４】第１実施形態の電子カメラにおける撮影モードの動作を示す流れ図
【図５】撮像素子の原色系カラーフィルタの分光波長特性を示す図
【図６】第２実施形態の電子カメラにおける撮影モードの動作を示す流れ図
【図７】第３実施形態の電子カメラにおける撮影モードの動作を示す流れ図
【符号の説明】
【００４８】
１  撮影レンズ系
２  フォーカスモータ
３  撮像素子
４  アナログ信号処理部
５  Ａ／Ｄ変換部
６  デジタル信号処理部
７  電子ファインダ部
７ａ  ファインダ画像処理部
７ｂ  Ｄ／Ａ変換部
７ｃ  液晶ファインダ
８  補助光源
９  ＣＰＵ
９ａ  ＡＥ演算部
９ｂ  ＡＷＢ演算部
９ｃ  ＡＦ演算部
１０  操作部材
【図１】
2005352208.tif 000003
【図２】
2005352208.tif 000004
【図３】
2005352208.tif 000005
【図４】
2005352208.tif 000006
【図５】
2005352208.tif 000007
【図６】
2005352208.tif 000008
【図７】
2005352208.tif 000009